(57)【要約】【課題】  転写具により紙面等の被転写部に転写された各種転写膜を均一に押圧して、転写膜の転写塗着性を向上することができる転写膜押圧技術を提供する。【解決手段】  転写テープ３上の塗膜や転写マーク等の転写膜を被転写部に転写するための転写具１において、ケース２に、被転写部に転写された転写膜を均一に押圧する押圧部１０が設けられている。押圧部１０は、転写膜を小さな摩擦係数をもって均一に押圧動作可能な押圧子として、ケース２に自由回転可能に設けられた押圧ローラ１５を備える。これにより、転写具１により紙面等の被転写部に転写された各種転写膜を均一に押圧して、転写膜の転写塗着性を向上することができる。【選択図】    図１
2006290528.tif 000002
【特許請求の範囲】
【請求項１】
被転写部に転写された転写膜を均一に押圧するための転写膜押圧装置であって、
片手による手持ち操作可能な装置本体と、この装置本体に設けられた押圧部とからなり、
前記押圧部は、前記被転写部に転写された転写膜を小さな摩擦係数をもって均一に押圧動作可能な押圧子を備える
ことを特徴とする転写膜押圧装置。
【請求項２】
前記押圧部の押圧子は、前記ケースに自由回転可能に設けられた押圧ローラの形態とされていることを特徴とする請求項１に記載の転写膜押圧装置。
【請求項３】
前記押圧ローラは、円筒押圧面を有する円筒ローラの形態とされていることを特徴とする請求項２に記載の転写膜押圧装置。
【請求項４】
前記押圧ローラは、テーパ押圧面を有する円錐ローラの形態とされている
ことを特徴とする請求項２に記載の転写膜押圧装置。
【請求項５】
前記押圧ローラは硬質材料からなることを特徴とする請求項２に記載の転写膜押圧装置。
【請求項６】
前記押圧ローラは弾性材料からなることを特徴とする請求項２に記載の転写膜押圧装置。
【請求項７】
前記押圧ローラは、硬質材料からなるローラ本体の外周面に、弾性材料からなる弾性層が被覆形成されていることを特徴とする請求項２に記載の転写膜押圧装置。
【請求項８】
前記押圧ローラは、弾性材料からなるローラ本体の外周面に、硬質材料からなる押圧層が被覆形成されていることを特徴とする請求項２に記載の転写膜押圧装置。
【請求項９】
前記押圧部の押圧子は、前記装置本体に一体的に設けられるとともに、前記被転写部に転写された転写膜を均一に押圧する直線状の先端エッジを有する押圧突起の形態とされている
ことを特徴とする請求項１に記載の転写膜押圧装置。
【請求項１０】
前記押圧突起は、前記装置本体の一部として一体成形されるとともに、その表面に前記転写膜との摩擦係数を低減させる摩擦係数低減層が被覆形成されている
ことを特徴とする請求項９に記載の転写膜押圧装置。
【請求項１１】
前記押圧突起は、前記転写膜との摩擦係数の低い素材から形成されていることを特徴とする請求項９に記載の転写膜押圧装置。
【請求項１２】
前記押圧部は、選択的に使用可能に設けられた異なる構造を有する少なくとも二つの押圧子を備えている
ことを特徴とする請求項２に記載の転写膜押圧装置。
【請求項１３】
転写テープ上の塗膜や転写マーク等の転写膜を被転写部に転写するための転写具であって、
少なくとも、片手による手持ち操作可能なケースと、このケース内に回転可能に装着されて、転写テープを繰り出し可能に巻装した繰出リールと、前記ケースの先端部分に配設されて、前記繰出リールから繰り出される転写テープを被転写部上に加圧転写する転写ヘッドとを備えてなり、
前記ケースに、前記被転写部に転写された転写膜を均一に押圧する転写膜押圧部が設けられている
ことを特徴とする転写具。
【請求項１４】
片手による手持ち操作可能な前記ケースと、
このケース内に回転可能に装着されて、転写テープを繰り出し可能に巻装した前記繰出リールと、
前記ケース内に回転可能に装着されて、使用後の転写テープを巻き取り回収する巻取リールと、
この巻取リールおよび前記操出リールを相互に連動回転させる連動機構と、
前記ケースの先端部分に配設されて、前記繰出リールから繰り出される転写テープを被転写部上に加圧転写する前記転写ヘッドと、
前記繰出リールおよび巻取リールにおける転写テープの繰出速度および巻取速度を同期させるクラッチ機構とを備えてなり、
前記ケースの一部に、前記被転写部に転写された転写膜を均一に押圧する前記転写膜押圧部が設けられている
ことを特徴とする請求項１３に記載の転写具。
【請求項１５】
前記転写膜押圧部が設けられるケースの部位は、この転写膜押圧部の押圧子を被転写部に転写された転写膜に押し当てて押圧操作するに際して、人間工学的に前記ケースを手持ち操作可能な位置に設定されている
ことを特徴とする請求項１３または１４に記載の転写具。
【請求項１６】
前記ケースの形状寸法は、前記転写ヘッドにより転写テープの加圧転写動作を行い、または前記転写膜押圧部により押圧動作を行うに際して、人間工学的に前記ケースを手持ち操作可能なように設計されている
ことを特徴とする請求項１５に記載の転写具。
【請求項１７】
前記転写膜押圧部は、前記ケースの後端部に設けられていることを特徴とする請求項１５に記載の転写具。
【請求項１８】
前記転写膜押圧部は、前記ケースの前端部の前記転写ヘッドと干渉しない位置に設けられていることを特徴とする請求項１５に記載の転写具。
【請求項１９】
前記転写膜押圧部の押圧子は、その押圧ラインが前記転写ヘッドの押圧ラインと直交するように設定されていることを特徴とする請求項１８に記載の転写具。
【請求項２０】
前記転写膜押圧部の押圧子は、その押圧ラインが前記転写ヘッドの押圧ラインと平行するように設定されていることを特徴とする請求項１８に記載の転写具。
【請求項２１】
前記転写膜押圧部は、前記ケースの後端部に設けられた留めクリップに設けられていることを特徴とする請求項１５に記載の転写具。
【請求項２２】
前記転写膜押圧部は、前記ケースの前端部に取外し可能に装着される前記転写ヘッドの保護キャップに設けられていることを特徴とする請求項１５に記載の転写具。
【請求項２３】
前記転写膜押圧部の押圧子は、前記被転写部に転写された転写膜を小さな摩擦係数をもって均一に押圧動作可能な構成とされていることを特徴とする請求項１３または１４に記載の転写具。
【請求項２４】
前記押圧子は、前記ケースに自由回転可能に設けられた押圧ローラの形態とされていることを特徴とする請求項２３に記載の転写具。
【請求項２５】
前記押圧ローラは、円筒押圧面を有する円筒ローラの形態とされていることを特徴とする請求項２２に記載の転写具。
【請求項２６】
前記押圧ローラは、テーパ押圧面を有する円錐ローラの形態とされていることを特徴とする請求項２４に記載の転写具。
【請求項２７】
前記押圧ローラは硬質材料からなることを特徴とする請求項２４に記載の転写具。
【請求項２８】
前記押圧ローラは弾性材料からなることを特徴とする請求項２４に記載の転写具。
【請求項２９】
前記押圧ローラは、硬質材料からなるローラ本体の外周面に、弾性材料からなる弾性層が被覆形成されていることを特徴とする請求項２４に記載の転写具。
【請求項３０】
前記押圧ローラは、弾性材料からなるローラ本体の外周面に、硬質材料からなる押圧層が被覆形成されていることを特徴とする請求項２４に記載の転写具。
【請求項３１】
前記転写膜押圧部は、選択的に使用可能に設けられた、異なる構造を有する少なくとも二つの押圧ローラを備えていることを特徴とする請求項２４に記載の転写具。
【請求項３２】
前記押圧ローラは、異なる外径寸法を有する複数の押圧ローラであることを特徴とする請求項３１に記載の転写具。
【請求項３３】
前記押圧ローラは、異なる幅寸法を有する複数の押圧ローラであることを特徴とする請求項３１に記載の転写具。
【請求項３４】
前記転写膜押圧部の押圧子は、前記ケースに一体的に設けられるとともに、前記被転写部に転写された転写膜を均一に押圧する直線状の先端エッジを有する押圧突起の形態とされていることを特徴とする請求項２３に記載の転写具。
【請求項３５】
前記押圧突起は、前記ケースの一部として一体成形されるとともに、その表面に前記転写膜との摩擦係数を低減させる摩擦係数低減層が被覆形成されていることを特徴とする請求項３４に記載の転写具。
【請求項３６】
前記押圧突起は、前記転写膜との摩擦係数の低い素材から形成されていることを特徴とする請求項３４に記載の転写具。
【請求項３７】
前記転写膜押圧部は、選択的に使用可能に設けられた、異なる構造を有する少なくとも２つの押圧突起を備えていることを特徴とする請求項３４に記載の転写具。
【請求項３８】
前記押圧突起は、異なる幅寸法の先端エッジを有する複数の押圧突起であることを特徴とする請求項３７に記載の転写具。
【請求項３９】
前記押圧突起は、異なる曲率円弧断面の先端エッジを有する複数の押圧突起であることを特徴とする請求項３７に記載の転写具。
【発明の詳細な説明】
【技術分野】
【０００１】
本発明は、転写膜押圧装置および転写具に関し、さらに詳細には、紙面等の被転写部に転写された塗膜、転写マークあるいはキズ補修塗膜などの転写膜を均一に押圧して、転写膜の転写塗着性を向上するための転写膜押圧技術に関する。
【背景技術】
【０００２】
転写テープ上に形成された塗膜、転写マークあるいは床、壁等のキズを補修するキズ補修塗膜などの転写膜を紙面等の被転写部に転写するための転写具が種々開発されている。
【０００３】
この種の転写具の一般的構造は、例えば、特許文献１に開示されるように、転写ヘッドがケースの先端部の挿通開口から外部へ突出して設けられており、ケース内に装填された繰出リールから転写テープが繰り出されるとともに、上記転写ヘッドの先端加圧部を介して再びケース内の巻取リールに巻き取り回収される構造を備え、また、ケース内には、上記巻取リールと操出リールを相互に連動回転させる歯車機構等の連動機構や、上記繰出リールと巻取リールにおける転写テープの繰出速度と巻取速度を同期させるクラッチ機構も設けられている。
【０００４】
そして、この転写具のケースを手指にて把持して、転写ヘッドの先端加圧部を紙面等の被転写部上に密着状に押し当てて、そのままケースを被転写部の表面に沿って移動させて停止させる。これにより、上記ケース内の繰出リールから繰出された転写テープ上の転写膜が、上記転写ヘッドにより被転写部上に転写されるとともに、使用後の転写テープはケース内の巻取リールに巻き取り回収される。
【０００５】
ところで、このような転写具による転写膜の上記被転写部に対する転写は、上記転写ヘッドによる一回の転写動作で行なわなければならないところ、被転写部の表面性状や転写操作に不慣れな使用者の操作ミス等により常に完璧を期し難く、以下のような不具合を生じることがある。
【０００６】
例えば、上記転写テープが誤字等を被覆隠蔽する修正テープの場合、上記転写ヘッドによる転写動作を完璧に行なうことができないと、転写テープから被転写部である紙面に転写された転写膜である修正塗膜（隠蔽層）は、その全体が上記紙面に均一に密着せずにところどころ浮き上った状態となり、この上から筆記具で上書き（再筆記）すると、上記修正塗膜が筆記具のペン先によって破損し剥離してしまって、再筆記が上手くできず、修正テープとしての機能が十分に発揮されない。
【０００７】
上記のような転写後における修正塗膜の浮き上がりを解消する方法としては、使用者が手指の腹部分により上記修正塗膜の表面を押さえて加圧（押圧）することが考えられるし、また一般に行われているが、このような人間の手指による押圧方法では、手指の腹部分の曲面と柔らかさにより、修正塗膜表面を均一な力をもって押圧することができず、その押圧効果が不均一で十分に得られず、しかも、手指の油や汚れ等により修正塗膜（通常は白色）が汚れて、その白色度が減少してしまい、紙面を汚すことにもなる。
【０００８】
また、本発明者らが一般市販の修正テープについて行なった実験によれば、上記転写ヘッドによる転写動作が完璧に行なわれて、上記修正塗膜全体が上記紙面に均一に密着された場合、ペン先が一般的な太さ（例えば０．５ｍｍ程度）である筆記具による再筆記では問題なく再筆記が可能である一方、ペン先が非常に鋭利な形状（例えば、ペン先太さが０．３mm程度以下の極細ペン）の筆記具による再筆記では、やはり上記と同様に、上記修正塗膜が筆記具のペン先によって破損し剥離してしまって、再筆記が上手くできず、修正テープとしての機能が発揮されない。
【０００９】
これは、上記転写具の転写ヘッドの構造が、一般的な太さのペン先を有する筆記具を対象として設計されていることから、これら一般的な太さのペン先を有する筆記具による再筆記に対しては、上記修正塗膜の紙面に対する接着力ないしは修正塗膜表面の引っ掻き強度が十分であるが、一方、極細ペンのように非常に鋭利なペン先を有する筆記具の再筆記に対しては、上記接着力ないしは引っ掻き強度が不十分であることが考えられる。
【００１０】
このような現象は、上記修正テープの修正塗膜と同種の塗膜、例えば、文字等を強調表示するマーカ塗膜、粘着剤として用いる粘着塗膜等の塗膜、あるいは、文字、符号または図形あるいはこれらの組み合わせ等の薄膜状の転写マーク、あるいは、床、壁等のキズ修正用のキズ補修塗膜においても、共通して生じ得る。
【特許文献１】特開平９−１０４５６２号公報
【発明の開示】
【発明が解決しようとする課題】
【００１１】
本発明はかかる従来の問題点に鑑みてなされたものであって、その目的とするところは、転写具により紙面等の被転写部に転写された各種転写膜を均一に押圧して、転写膜の転写塗着性を向上することができる転写膜押圧装置を提供することにある。
【００１２】
また、本発明の他の目的とするところは、このような転写膜押圧装置を備えた転写具を提供することにある。
【課題を解決するための手段】
【００１３】
この目的を達成するため、本発明の転写膜押圧装置は、被転写部に転写された転写膜を均一に押圧するための転写膜押圧装置であって、片手による手持ち操作可能な装置本体と、この装置本体に設けられた押圧部とからなり、上記押圧部は、上記被転写部に転写された転写膜を小さな摩擦係数をもって均一に押圧動作可能な押圧子を備えることを特徴とする。
【００１４】
好適な実施態様として、上記押圧部の押圧子は、上記ケースに自由回転可能に設けられた押圧ローラの形態が考えられ、この押圧ローラの具体的形態としては、以下のようなものが例示される。
【００１５】
ｉ）円筒押圧面を有する円筒ローラの形態
ii）テーパ押圧面を有する円錐ローラの形態
iii）硬質材料からなる構造
iv）弾性材料からなる構造
ｖ）硬質材料からなるローラ本体の外周面に、弾性材料からなる弾性層が被覆形成されている構造
vi）弾性材料からなるローラ本体の外周面に、硬質材料からなる押圧層が被覆形成されている構造
【００１６】
また、上記押圧部の押圧子は、上記装置本体に一体的に設けられるとともに、上記被転写部に転写された転写膜を均一に押圧する直線状の先端エッジを有する押圧突起の形態も考えられ、この押圧突起の具体的形態としては、以下のようなものが例示される。
【００１７】
ｉ）上記押圧突起が上記装置本体の一部として一体成形されるとともに、その表面に上記転写膜との摩擦係数を低減させる摩擦係数低減層が被覆形成されている構造
ii）上記押圧突起が上記転写膜との摩擦係数の低い素材から形成されている構造
【００１８】
また、目的に応じて、上記押圧部が選択的に使用可能に設けられた異なる構造を有する少なくとも２つの押圧子を備えて、これら押圧子が選択的に使用される構造も採用可能である。
【００１９】
本発明の転写具は、転写テープ上の塗膜や転写マーク等の転写膜を被転写部に転写するための転写具であって、少なくとも、片手による手持ち操作可能なケースと、このケース内に回転可能に装着されて、転写テープを繰り出し可能に巻装した繰出リールと、上記ケースの先端部分に配設されて、上記繰出リールから繰り出される転写テープを被転写部上に加圧転写する転写ヘッドとを備えてなり、上記ケースに、上記被転写部に転写された転写膜を均一に押圧する転写膜押圧部が設けられていることを特徴とする。
【００２０】
好適な実施態様として、片手による手持ち操作可能な上記ケースと、このケース内に回転可能に装着されて、転写テープを繰り出し可能に巻装した上記繰出リールと、上記ケース内に回転可能に装着されて、使用後の転写テープを巻き取り回収する巻取リールと、この巻取リールおよび上記操出リールを相互に連動回転させる連動機構と、上記ケースの先端部分に配設されて、上記繰出リールから繰り出される転写テープを被転写部上に加圧転写する上記転写ヘッドと、上記繰出リールおよび巻取リールにおける転写テープの繰出速度および巻取速度を同期させるクラッチ機構とを備えてなり、上記ケースの一部に、上記被転写部に転写された転写膜を均一に押圧する上記転写膜押圧部が設けられていることを特徴とする。
【００２１】
上記転写膜押圧部が設けられるケースの部位は、この転写膜押圧部の押圧子を被転写部に転写された転写膜に押し当てて押圧操作するに際して、人間工学的に上記ケースを手持ち操作可能な位置に設定され、これに基づいた具体的形態としては、以下のようなものが例示される。
【００２２】
ｉ）上記ケースの形状寸法が、上記転写ヘッドにより転写テープの加圧転写動作を行い、または上記転写膜押圧部により押圧動作を行うに際して、人間工学的に上記ケースを手持ち操作可能なように設計されている。
ii）上記転写膜押圧部が、上記ケースの後端部に設けられている。
iii）上記転写膜押圧部が、上記ケースの前端部の上記転写ヘッドと干渉しない位置に設けられている。この場合、上記転写膜押圧部の押圧子は、その押圧ラインが上記転写ヘッドの押圧ラインと直交するように設定されるか、あるいはその押圧ラインが上記転写ヘッドの押圧ラインと平行するように設定される。
iv）上記転写膜押圧部が、上記ケースの後端部に設けられた留めクリップに設けられている。
ｖ）上記転写膜押圧部が、上記ケースの前端部に取外し可能に装着される上記転写ヘッドの保護キャップに設けられている。
【００２３】
また、上記転写膜押圧部の押圧子は、上記被転写部に転写された転写膜を小さな摩擦係数をもって均一に押圧動作可能な構成とされていることが望ましい。
【００２４】
さらに、上述した転写膜押圧装置の場合と同様に、上記転写膜押圧部の押圧子は、上記ケースに自由回転可能に設けられた押圧ローラの形態が考えられ、この押圧ローラの具体的形態としては、以下のようなものが例示される。
【００２５】
ｉ）円筒押圧面を有する円筒ローラの形態
ii）テーパ押圧面を有する円錐ローラの形態
iii）硬質材料からなる構造
iv）弾性材料からなる構造
ｖ）硬質材料からなるローラ本体の外周面に、弾性材料からなる弾性層が被覆形成されている構造
vi）弾性材料からなるローラ本体の外周面に、硬質材料からなる押圧層が被覆形成されている構造
【００２６】
また、目的に応じて、上記転写膜押圧部は、選択的に使用可能に設けられた、異なる構造を有する少なくとも２つの押圧ローラを備えて、これら押圧ローラが選択的に使用される構造も採用可能である。
【００２７】
この場合の上記複数の押圧ローラの具体的構成としては、異なる外径寸法を有する複数の押圧ローラであったり、あるいは異なる幅寸法を有する複数の押圧ローラであることが望ましい。
【００２８】
上記転写膜押圧部の押圧子は、上記ケースに一体的に設けられるとともに、上記被転写部に転写された転写膜を均一に押圧する直線状の先端エッジを有する押圧突起の形態も考えられ、この押圧突起の具体的形態としては、以下のようなものが例示される。
【００２９】
ｉ）上記押圧突起が、上記ケースの一部として一体成形されるとともに、その表面に上記転写膜との摩擦係数を低減させる摩擦係数低減層が被覆形成されている構造
ii）上記押圧突起が上記転写膜との摩擦係数の低い素材から形成されている構造
また、上記押圧部の押圧子は、上記装置本体に一体的に設けられるとともに、上記被転写部に転写された転写膜を均一に押圧する直線状の先端エッジを有する押圧突起の形態も考えられ、この押圧突起の具体的形態としては、以下のようなものが例示される。
【００３０】
また、目的に応じて、上記転写膜押圧部が、選択的に使用可能に設けられた異なる構造を有する少なくとも２つの押圧突起を備えて、これら押圧突起が選択的に使用される構造も採用可能である。
【００３１】
この場合の上記複数の押圧突起の具体的構成としては、異なる幅寸法の先端エッジを有する複数の押圧突起であったり、あるいは異なる曲率円弧断面の先端エッジを有する複数の押圧突起であることが望ましい。
【発明の効果】
【００３２】
本発明の転写膜押圧装置によれば、片手による手持ち操作可能な装置本体に押圧部が設けられ、この押圧部が、上記被転写部に転写された転写膜を小さな摩擦係数をもって均一に押圧動作可能な押圧子を備えるから、転写具により紙面等の被転写部に転写された各種転写膜を均一に押圧して、転写膜の転写塗着性を向上することができる。
【００３３】
すなわち、転写具による転写膜の上記被転写部に対する転写は、転写具の転写ヘッドによる一回の転写動作で行なわなければならないことから、被転写部の表面性状や転写操作に不慣れな使用者の操作ミス等により常に完璧を期し難いところ、上記転写具の転写ヘッドにより被転写部に転写された転写膜を、上記転写膜押圧装置の押圧部により均一に押圧することで、転写膜はその全体が被転写部表面に均一にかつより強固に密着して、転写膜の転写塗着性が向上する。
【００３４】
例えば、転写具に装填される転写テープが誤字等を被覆隠蔽する修正テープの場合に、転写テープから被転写部である紙面に転写された修正塗膜（隠蔽層）の全体が上記紙面に均一にかつより強固に完全に密着し、この結果、この上から筆記具で上書き（再筆記）する場合、上記修正塗膜が筆記具のペン先によって破損し剥離してしまうことがなく、再筆記が円滑にかつ確実に行われて、修正テープとしての機能が十分に発揮され得る。
【００３５】
したがって、従来のように、使用者が手指の腹部分により上記修正塗膜の表面を押圧する場合のように、手指の油や汚れ等により修正塗膜が汚れて、紙面を汚すこともない。
【００３６】
また、上記のとおり修正塗膜全体が上記紙面に均一にかつより強固に完全に密着する結果、一般的な太さのペン先（例えばペン先太さが０．５ｍｍ程度以上）を有する筆記具による再筆記に対してはもちろんのこと、極細ペンのように非常に鋭利なペン先（例えば、ペン先太さが０．３mm程度以下）を有する筆記具の再筆記に対しても、上記修正塗膜の紙面に対する十分な接着力ないしは修正塗膜表面の引っ掻き強度が得られ、修正塗膜がこれら筆記具のペン先によって破損し剥離するようなことはなく、再筆記が円滑かつ確実に行え、修正テープとしての機能が十分に発揮され得る。
【００３７】
さらに、修正塗膜全体が上記紙面に均一にかつより強固に完全に密着する結果、例えばゲルインクを用いた筆記具などの場合、上記転写膜押圧装置の押圧部による押圧処理を施さないときに比較して修正塗膜表面へのインクの乗りが良くて、鮮明な文字、線等の再筆記が可能で、この点からも修正テープとしての機能が十分に発揮され得る。
【００３８】
また、本発明の転写具によれば、ケースの一部に、上記転写膜押圧装置の押圧部と同様な転写膜押圧部が設けられているから、この転写具に常備された転写膜押圧部により、転写ヘッドにより紙面等の被転写部に転写された各種転写膜を均一に押圧して、転写膜の転写塗着性を向上することができ、上述した転写膜押圧装置による効果を享受することができる。
【００３９】
また、上記転写膜押圧部が設けられるケースの部位が、この転写膜押圧部の押圧子を被転写部に転写された転写膜に押し当てて押圧操作するに際して、人間工学的に上記ケースを手持ち操作可能な位置に設定されていることにより、転写膜の押圧作業が容易かつ確実に行える。
【発明を実施するための最良の形態】
【００４０】
以下、本発明の実施形態を図面に基づいて詳細に説明する。なお、図面全体にわたって同一の符号は同一の構成部材または要素を示している。
【００４１】
実施形態１
本発明に係る転写具が図１から図３に示されており、この転写具１は、具体的には転写テープ上の塗膜や転写マーク等の転写膜を紙面等に転写するための転写具であって、図示の実施形態においては、誤字等を修正するための字消し具として使用されるものである。
【００４２】
上記字消し具１は、転写テープを含めてすべての構成部品が消耗品とされてなる使い切りタイプの構造を備え、その基本構造は従来周知のものである。すなわち、字消し具１は、図示のような外観形状を呈する装置本体としてのケース２内に、図２に示すような、転写テープ３を繰り出し可能に巻装した繰出リール４、使用後の転写テープ３´を巻き取り回収する巻取リール５、これら両リール４、５を相互に連動回転させる連動機構としての無端状のゴムベルト６および転写テープ３を被転写部２０（図３参照）上に加圧転写する転写ヘッド７などを主要部として備えており、上記ゴムベルト６は、上記両リール４、５における転写テープ３の繰出速度および巻取速度を同期させるクラッチ機構としての機能も兼備する。また、上記ケース２には、被転写部２０に転写された転写膜２１を均一に押圧する押圧部（転写膜押圧部）１０が設けられている。
【００４３】
ケース２は、図３に示すごとく、筆記具のように片手による手持ち操作可能なもので、図２に示すように、上記繰出リール４および巻取リール５等の構成部品を内装し得る正面輪郭形状寸法と幅寸法を備える、細長のいわゆるペン型タイプの箱状とされている。
【００４４】
このケース２は、射出成形等により一体成形されたプラスチック製のものであって、分割構造のケース本体２ａとキャップ体２ｂとから構成されるとともに、ケース２の先端部には、上記転写ヘッド７を内外に挿通するヘッド挿通開口２ｃが形成されている。
【００４５】
上記ケース２の外周形状寸法は、後述するように、上記転写ヘッド７と押圧部１０の配設位置との関係も考慮して設計されるもので、具体的には、上記転写ヘッド７により転写テープ３の加圧転写動作（図３（ａ）参照）を行い、または上記転写膜押圧部１０により押圧動作（図３（ｂ）参照）を行うに際して、人間工学的にケース２を手持ち操作可能なように設計されている。
【００４６】
転写テープ３は従来周知の積層構造を備え、具体的には、フィルム状基材テープの片面に、剥離剤層、修正塗料層および加圧接着性を有する粘着剤（感圧接着剤）層が順次積層されてなり、これら修正塗料層と粘着剤層が転写膜としての修正塗膜２１（図３参照）を形成している。
【００４７】
上記ケース２内の繰出リール４から繰出される転写テープ３は、上記転写ヘッド７の片側テープ走行面に沿って先端加圧部７ａへ案内された後、この先端加圧部７ａを経由して反転され、さらに反対側テープ走行面に沿って案内されて、ケース２内の巻取リール５に巻回される。
【００４８】
転写ヘッド７は、転写テープ３を紙面等の被修正部２０上に加圧するもので、上記ケース２の先端部に設けられており、転写テープ３を案内する機能と加圧する機能を兼備する。
【００４９】
転写ヘッド７の具体的な形状は、転写テープ３を所望の転写位置に的確に加圧転写するのに適した形状、つまり、その先端がある程度尖ったいわゆる尖頭形とされている。
【００５０】
図示の実施形態の転写ヘッド７は、転写テープ３よりも若干幅広の矩形状を有する薄肉の板状体とされるとともに、側面から見てある程度尖った形状、つまり先端に向けて次第に薄くなるような先細のテーパ形状断面を有してなる。転写ヘッド７の平坦な両側面７ｂ、７ｃがテープ走行面を形成するとともに、その先端縁７ａが、上述したように転写テープ３を加圧する先端加圧部とされている。この先端加圧部７ａは、上記テープ走行面７ｂ、７ｃにおけるテープ走行方向に直交する直線縁の形態とされている。また、ヘッド本体７の両側縁には、転写テープ３の走行を案内するガイドフランジ７ｄ、７ｄが形成されている。
【００５１】
なお、ヘッド本体７を構成する板状体の肉厚が比較的小さい場合には、必ずしも図示のようなテーパをもった形状とせずに、前後方向全体にわたって同一の肉厚を有する形状でも良く、要するに、上記ヘッド本体７の先端加圧部７ａが的確に転写箇所を位置決め指示できる程度の厚さ（尖り度）を有する構造とされていれば良い。
【００５２】
押圧部（転写膜押圧部）１０は、転写ヘッド７により被転写部２０に転写された修正塗膜２１を均一に押圧するためのもので、上記修正塗膜２１を小さな摩擦係数をもって均一に押圧動作可能な押圧子１５を備える。
【００５３】
この押圧子１５は、具体的にはケース２に自由回転可能に設けられた押圧ローラの形態とされており、図示の実施形態においては、円筒押圧面を有する円筒ローラの形態とされている。
【００５４】
上記押圧部１０が設けられるケース２の部位は、前述したように、このケース２の外周形状寸法との関係で、押圧部１０の押圧子１５を被転写部２０に転写された修正塗膜２１に押し当てて押圧操作するに際して、人間工学的に上記ケース２を手持ち操作可能な位置に設定される。図示の実施形態においては、ケース２の後端部に押圧部１０が設けられており、これにより、図３（ａ）に示される転写テープ３の転写操作時とほぼ同様な操作性が確保されている。
【００５５】
すなわち、ケース２の後端部には、ケース２に一体成形された取付けフランジ１７、１７が後方へ突出するとともに、これら取付けフランジ１７、１７と一体成形された支軸１６ａ、１６ｂに、上記押圧ローラ１５が自由回転可能に軸支されている。また、これに対応して、ケース２の後端部は、押圧ローラ１５をケース内外挿通状態で収容配置するための収容開口１８とされている。
【００５６】
上記押圧ローラ１５は、上記ケース２の後端部において、ケース２に一体成形された支軸１６ａ、１６ｂにより自由回転可能に軸支されるとともに、ケース２の後方へ突出状に設けられている。これにより、図３（ｂ）に示されるように、被転写部２０に転写された修正塗膜２１に対して押圧ローラ１５を押し付けて転動させる姿勢をとった場合、使用者が片手の手指にてケース２を筆記具のように自然な形で把持できるとともに、過度に無用な力を要することなくケース２を押圧操作することができる。
【００５７】
また、上記押圧ローラ１５の構成材料は、適用対象となる転写テープに対応して決定されるのが望ましく、本実施形態のように修正テープ用途の場合は、次のような構成材料が採用され得る。
【００５８】
すなわち、修正テープ用途の場合、押圧ローラ１５の主たる目的・機能は、被転写部２０に転写された修正塗膜２１に高めの圧力を加えることであり、好適にはプラスチックや硬質ゴムなどの硬質材料が使用される。
【００５９】
プラスチックとしては、ポリエチレン、ポリプロピレン、スチレン、塩化ビニル等をはじめとする汎用プラスチック、およびポリアセタール、ポリカーボネイト、ポリアミド等のエンジニアリングプラスチックが挙げられる。
【００６０】
しかして、以上のように構成された転写具１により誤字等を修正するには、図３（ａ）に示すように、ケース２を手指にて把持して、転写ヘッド７の先端加圧部７ａを紙面等の被転写部２０上に密着状に押し当てて、そのままケース２を被転写部２０の表面に沿って移動させることにより、転写ヘッド７の先端加圧部７ａにおける転写テープ３の修正塗膜２１が、基材テープから剥離して上記被修正部分２０上に転写されるとともに、修正塗膜２１が剥離された使用後の転写テープつまり上記基材テープはケース２内の巻取リール５に巻取り回収される。
【００６１】
次に、図３（ｂ）に示すように、ケース２を前後逆転させて手指にて把持して、押圧部１０の押圧ローラ１５を上記被転写部２０上に転写された修正塗膜２１の表面に押し当てて、加圧しながら回転移動させることで、押圧ローラ１５の円筒面が修正塗膜２１を均一に押圧して、修正塗膜２１の被転写部２０に対する塗着性を向上させることができる。
【００６２】
すなわち、転写具１による修正塗膜２１の上記被転写部２０に対する転写は、転写具１の転写ヘッド７による一回の転写動作で行なわなければならないことから、被転写部２０の表面性状や転写操作に不慣れな使用者の操作ミス等により常に完璧を期し難いところ、被転写部２０に転写された修正塗膜２１を、上記押圧部１０の押圧ローラ１５により均一に押圧することで、修正塗膜２１はその全体が被転写部２０の表面に均一にかつより強固に密着して、修正塗膜２１の転写塗着性が向上する。
【００６３】
したがって、この修正塗膜２１の上から筆記具で上書き（再筆記）する場合、修正塗膜２１が筆記具のペン先によって破損し剥離してしまうことがなく、再筆記が円滑にかつ確実に行われて、修正テープとしての機能が十分に発揮され得る。
【００６４】
また、上記のとおり修正塗膜２１全体が上記紙面２０に均一にかつより強固に完全に密着する結果、一般的な太さのペン先（例えばペン先太さが０．５ｍｍ程度以上）を有する筆記具による再筆記に対してはもちろんのこと、極細ペンのように非常に鋭利なペン先（例えば、ペン先太さが０．３mm程度以下）を有する筆記具の再筆記に対しても、修正塗膜２１の紙面２０に対する十分な接着力ないしは修正塗膜２１表面の引っ掻き強度が得られ、修正塗膜２１がこれら筆記具のペン先によって破損し剥離するようなことはなく、再筆記が円滑かつ確実に行え、修正テープとしての機能が十分に発揮され得る。
【００６５】
さらに、修正塗膜２１全体が上記紙面２０に均一にかつより強固に完全に密着する結果、例えばゲルインクを用いた筆記具などの場合、上記押圧部１０の押圧ローラ１５による押圧処理を施さないときに比較して修正塗膜２１表面へのインクの乗りが良くて、鮮明な文字、線等の再筆記が可能で、この点からも修正テープとしての機能が十分に発揮され得る。
【００６６】
また、本実施形態のように、転写具１のケース２の一部に押圧部１０が設けられていると、この転写具１に常備された押圧部１０により、転写ヘッド７により紙面２０に転写された修正塗膜２１を直後に均一に押圧して、修正塗膜２１の転写塗着性を向上させることができる。
【００６７】
また、上記押圧部１０が設けられるケース２の部位が、この押圧部１０の押圧ローラ１５を被転写部２０に転写された修正塗膜２１に押し当てて押圧操作するに際して、人間工学的に上記ケース２を手持ち操作可能な位置に設定されていることにより、修正塗膜２１の押圧作業が容易かつ確実に行える。
【００６８】
実施形態２
本実施形態は、実施形態１が修正テープ用途であったのに対して、床、壁等のキズ補修用テープ用途のものであって、転写テープ３の構造が改変されるとともに、押圧ローラ１５の構成材料がこれに対応したものとされている。
【００６９】
すなわち、床、壁あるいは家具等の表面に生じたキズを修復するためのキズ補修用テープ用途の場合、転写テープ３は、具体的には、フィルム状基材テープの片面に、剥離剤層、塗膜層および加圧接着性を有する粘着剤（感圧接着剤）層が順次積層されてなり、これら塗膜層と粘着剤層が転写膜としてのキズ補修塗膜を形成している。また、上記塗膜層には、木目模様等の対象となる被補修面に対応した各種模様や彩色が印刷等により施されている。
【００７０】
また、押圧部１０の押圧ローラ１５の主たる目的・機能は、補修部分において既存の部分との境界部分を外観的にぼかすことにより、上記被補修部分と既存部分とが自然に連続するような仕上がり感を出すことであり、構成材料としてはある程度の弾性を付与することができる弾性材料が用いられ、好適にはゴム状樹脂が使用される。
【００７１】
ゴム状樹脂としては、例えば、スチレンーブタジエンースチレンブロック共重合体（ＳＢＳ）、スチレンーエチレンーブチレンースチレンブロック共重合体（ＳＥＢＳ）、スチレンーブタジエンゴム、スチレンーイソプレンースチレンブロック共重合体（ＳＩＳ）、スチレンーエチレン／プロピレンブロック共重合体（ＳＥＰ）、エチレン−プロピレンゴム（ＥＰＲ）、ウレタンゴム、フッ素ゴム、アクリロニトリルーブタジエンゴム、エチレンー酢酸ビニル共重合体、エチレンーエチルアクリレート共重合体、クロロスルホン化ポリエチレン、環化ゴムなどが挙げられる。可塑剤を必要に応じて併用してもよい。
【００７２】
しかして、本実施形態の転写具１により床や壁等に生じたキズを補修するに際しては、図３（ａ）に示される方法と同様に、ケース２を手指にて把持して、転写ヘッド７の先端加圧部７ａを補修対象となるキズ部分に密着状に押し当てて、そのままケース２をキズ部分に沿って移動させることにより、転写ヘッド７の先端加圧部７ａにおける転写テープ３のキズ補修塗膜２１が、基材テープから剥離して上記キズ部分を覆って転写される。
【００７３】
次に、図３（ｂ）に示す方法と同様に、ケース２を前後逆転させて手指にて把持して、押圧部１０の押圧ローラ１５を上記キズ部分に転写されたキズ補修塗膜の表面に押し当てて、加圧しながら回転移動させることで、押圧ローラ１５の円筒面がキズ補修塗膜を均一に押圧して、キズ補修塗膜のキズ部分に対する塗着性を向上させることができる。
【００７４】
この場合、押圧ローラ１５自体がある程度の弾性を有するため、被補修部分であるキズ部分において、既存の部分との段差のある境界部分にキズ補修塗膜を確実に沿わせて密着させることで、外観的にぼかすことができ、上記被補修部分と既存部分とが自然に連続するような段差の目立たない仕上がり感を出すことができる。しかも、上記キズ補修塗膜には木目模様等の適宜模様や彩色が施されているので、この点からも、キズ部分と床や壁のキズのない表面との見分けがつかず、綺麗に修復することができる。
その他の構成および作用は実施形態１と同様である。
【００７５】
実施形態３
本実施形態は図４に示されており、実施形態１または２における押圧部１０の構成が改変されたものである。
【００７６】
すなわち、本実施形態の押圧部１０は、選択的に使用可能に設けられた異なる構造を有する少なくとも２つ（図示の場合は２つ）の押圧子１５ａ、１５ｂを備えている。
【００７７】
これら押圧子１５ａ、１５ｂは、実施形態１と同様、具体的にはケース２に自由回転可能に設けられた押圧ローラの形態とされており、図示の実施形態においては、円筒押圧面を有する円筒ローラの形態とされている。
【００７８】
また、第１の押圧ローラ１５ａと第２の押圧ローラ１５ｂは、互いに異なる外径寸法を有する異なる構造とされている。
【００７９】
しかして、以上のように構成された押圧部１０による転写膜２１の押圧作業に際しては、転写膜２１の大きさや転写箇所、あるいは押圧力の加減に応じて、第１または第２の押圧ローラ１５ａ、１５ｂを選択的に使用する。
【００８０】
例えば、転写膜２１の転写長さが比較的大きい場合や、転写膜２１の周囲に障害となるようなものがない場合には、大径の第１の押圧ローラ１５ａを用いて、この押圧ローラ１５ａを転写膜２１の長さ方向全体を含めて周囲まで大きく回転移動させるようにし、一方、転写膜２１の転写長さが比較的短い場合や、転写膜２１の周囲に障害となるようなものがある場合には、小径の第２の押圧ローラ１５ｂを用いて、この押圧ローラ１５ｂを転写膜２１の一部分ずつ小さく回転移動させるなど適宜操作するようにする。また、使用者が年少者や女性などの一般的に体力的弱者である場合には、小径の第２の押圧ローラ１５ｂを用いることにより、その体力的な面を補うことができる。
その他の構成および作用は実施形態１または２と同様である。
【００８１】
実施形態４
本実施形態は図５に示されており、実施形態１または２における押圧部１０の構成が改変されたものである。
【００８２】
すなわち、本実施形態の押圧部１０は、選択的に使用可能に設けられた異なる構造を有する少なくとも２つ（図示の場合は２つ）の押圧子１５ｃ、１５ｄを備えている。
【００８３】
これら押圧子１５ｃ、１５ｄは、実施形態１と同様、具体的にはケース２に自由回転可能に設けられた押圧ローラの形態とされており、図示の実施形態においては、円筒押圧面を有する円筒ローラの形態とされている。
【００８４】
また、第１の押圧ローラ１５ｃと第２の押圧ローラ１５ｄは、互いに異なる幅寸法を有する異なる構造とされている。
【００８５】
しかして、以上のように構成された押圧部１０による転写膜２１の押圧作業に際しては、転写膜２１の大きさ特に転写膜２１の転写幅に応じて、あるいは押圧力の加減に応じて、第１または第２の押圧ローラ１５ｃ、１５ｄを選択的に使用する。
【００８６】
例えば、転写膜２１の転写幅が比較的大きい場合には、幅広の第１の押圧ローラ１５ｃを用いて、この押圧ローラ１５ｃを転写膜２１の転写幅方向全体を含めて周囲まで幅広く回転移動させるようにし、一方、転写膜２１の転写幅が比較的小さい場合や使用者が年少者や女性などの一般的に体力的弱者である場合には、幅狭の第２の押圧ローラ１５ｄを用いて、この押圧ローラ１５ｄを転写膜２１の一部分ずつ回転移動させるようにする。
その他の構成および作用は実施形態１または２と同様である。
【００８７】
実施形態５
本実施形態は図６に示されており、実施形態１または２における押圧部１０の構成が改変されたものである。
【００８８】
すなわち、本実施形態の押圧部１０は、押圧ローラ１５が曲線状の押圧移動に適した形状とされている。具体的には、図示の押圧ローラ１５は、外径寸法が幅方向に順次連続して直線状に変化する円錐台形状とされて、その外径面がテーパ押圧面とされてなる円錐ローラの形態とされている。
【００８９】
しかして、以上のように構成された押圧部１０による転写膜２１の押圧作業に際しては、図３（ｂ）に示すように、ケース２を手指にて把持して、押圧部１０の押圧ローラ１５を転写膜２１の表面に押し当てて、加圧しながら回転移動させると、押圧ローラ１５のテーパ押圧面のテーパに対応した円弧に沿って移動して、曲線状に転写された転写膜２１を均一に押圧することができる。また、この状態でケース２を表裏逆転させて手指にて把持すれば、上記と逆方向へ曲がって曲線状してに転写された転写膜２１も押圧することができる。
【００９０】
このように、ケース２を適宜表裏逆転させて持ち替えることで、種々の波線状に転写された転写膜２１を押圧することができる。
その他の構成および作用は実施形態１または２と同様である。
【００９１】
実施形態６
本実施形態は図７に示されており、実施形態１または２における押圧部１０の配置構成が改変されたものである。
【００９２】
すなわち、本実施形態の押圧部１０は、ケース２の前端部の上記転写ヘッド７と干渉しない位置に設けられ、具体的には、ケース２の前端部における上側面に上方へ突出して設けられている。
【００９３】
つまり、ケース２の前端部上面には、押圧ローラ１５をケース内外挿通状態で収容配置するための収容開口１８が開設されるとともに、ケース２の内面の左右両側に支軸１６ａ、１６ｂが水平状態で一体成形されている。そして、これら支軸１６ａ、１６ｂに押圧ローラ１５が自由回転可能に軸支されて、その一部が上記収容開口１８を介してケース２の上方外部へ突出して臨んでいる。
【００９４】
押圧ローラ１５の押圧ライン、つまり外周円筒押圧面の母線は、上記転写ヘッド７の押圧ラインつまり先端加圧部７ａの直線縁と平行するように設定されている。
【００９５】
このような配置構成が、押圧部１０の押圧ローラ１５を、被転写部２０に転写された修正塗膜２１（図３（ｂ）参照）に押し当てて押圧操作するに際して、人間工学的に上記ケース２を手持ち操作可能とし、転写テープ３の転写操作時とほぼ同様な操作性を確保することができることは、実施形態１の場合と同様である。
【００９６】
しかして、以上のように構成された押圧部１０による転写膜２１の押圧作業に際しては、実施形態１のように、図３（ａ）に示す転写テープ３の転写操作時から図３（ｂ）に示す押圧操作時の状態に移るごとく、ケース２を前後逆転させて持ち替える必要はなく、図３（ａ）に示す転写テープ３の転写操作時の状態からケース２を１８０°だけ回転させて手指にて把持すれば、直ちに押圧操作時の状態に移ることができる。
その他の構成および作用は実施形態１または２と同様である。
【００９７】
実施形態７
本実施形態は図８に示されており、実施形態１または２における押圧部１０の配置構成が改変されたものである。
【００９８】
すなわち、本実施形態の押圧部１０は、実施形態６と同様に、ケース２の前端部の上記転写ヘッド７と干渉しない位置に設けられ、具体的には、ケース２の前端部における片側面に側方へ突出して設けられている。
【００９９】
つまり、ケース２の前端部片側面には、押圧ローラ１５をケース内外挿通状態で収容配置するための収容開口１８が開設されるとともに、ケース２の内面の収容開口１８上下両側に支軸１６ａ、１６ｂが垂直状態で一体成形されている。そして、これら支軸１６ａ、１６ｂに押圧ローラ１５が自由回転可能に軸支されて、その一部が上記収容開口１８を介してケース２の側方外部へ突出して臨んでいる。
【０１００】
押圧ローラ１５の押圧ライン、つまり外周円筒押圧面の母線は、上記転写ヘッド７の押圧ラインつまり先端加圧部７ａの直線縁と直交するように設定されている。
【０１０１】
このような配置構成が、押圧部１０の押圧ローラ１５を、被転写部２０に転写された修正塗膜２１（図３（ｂ）参照）に押し当てて押圧操作するに際して、人間工学的に上記ケース２を手持ち操作可能とし、転写テープ３の転写操作時とほぼ同様な操作性を確保することができることは、実施形態１の場合と同様である。
【０１０２】
しかして、以上のように構成された押圧部１０による転写膜２１の押圧作業に際しては、実施形態６と同様に、図３（ａ）に示す転写テープ３の転写操作時の状態からケース２を９０°だけ回転させて手指にて把持すれば、直ちに押圧操作時の状態に移ることができる。
その他の構成および作用は実施形態１または２と同様である。
【０１０３】
実施形態８
本実施形態は図９および図１０に示されており、実施形態１または２における転写具１の具体的構造が若干改変されるとともに、これに対応して押圧部１０の配置構成も改変されたものである。
【０１０４】
すなわち、本実施形態の転写具１は、ケース２に留めクリップ１９が設けられるとともに、この留めクリップ１９に上記押圧部１０が設けられいる。
【０１０５】
具体的には、図１０に示すように、留めクリップ１９が上記ケース２の後端部に一体的に取付け固定されるとともに、この留めクリップ１９の先端部分に押圧部１０が配置されている。この押圧部１０は、留めクリップ１９の先端部の係止リブ１９ａと同位置に外方へ突出して設けられている。
【０１０６】
つまり、留めクリップ１９の先端部には、押圧ローラ１５をクリップ内外挿通状態で収容配置するための収容開口１８が開設されるとともに、留めクリップ１９の収容開口１８の両側に支軸１６ａ、１６ｂが垂直状態で一体成形されている。そして、これら支軸１６ａ、１６ｂに押圧ローラ１５が自由回転可能に軸支されて、その一部が上記収容開口１８から留めクリップ１９の外方（図１０において下方）へ突出して臨んでいる。
【０１０７】
押圧ローラ１５の外径寸法は、図１０に示されるように、収容開口１８から留めクリップ１９の内方（図面上方）へ突出する部分がケース２の表面に接触しないように、換言すれば、押圧ローラ１５の留めクリップ１９内方への突出寸法が留めクリップ１９の係止リブ１９ａの高さ寸法よりも小さくなるように設定されている。これにより、押圧ローラ１５による押圧作用が円滑かつ確実に行なわれ得る。
【０１０８】
このような配置構成が、押圧部１０の押圧ローラ１５を、被転写部２０に転写された修正塗膜２１（図３（ｂ）参照）に押し当てて押圧操作するに際して、人間工学的に上記ケース２を手持ち操作可能とし、転写テープ３の転写操作時とほぼ同様な操作性を確保することができることは、実施形態１の場合と同様である。
その他の構成および作用は実施形態１または２と同様である。
【０１０９】
実施形態９
本実施形態は図１１に示されており、実施形態１または２における押圧部１０の配置構成が改変されたものである。
【０１１０】
すなわち、本実施形態の押圧部１０は、ケース２の前端部に取外し可能に装着される転写ヘッド７の保護キャップ１００に設けられている。
【０１１１】
具体的には、保護キャップ１００の先端部には、押圧ローラ１５を前方突出状態で収容配置する直方体形状の収容凹部２８が凹設されるとともに、この収容凹部２８の一対向内側面に支軸１６ａ、１６ｂが設けられている。そして、これら支軸１６ａ、１６ｂに押圧ローラ１５が自由回転可能に軸支されて、その一部が上記収容凹部２８から前方外部へ突出して臨んでいる。
【０１１２】
しかして、以上のように構成された押圧部１０による転写膜２１の押圧作業に際しては、図３（ａ）に示す転写テープ３の転写操作時と同一姿勢で、ケース２を手指にて把持することができる。つまり、保護キャップ１００をケース２から取り外した状態で、転写テープ３の転写作業を行なった後、保護キャップ１００をケース２に取り付ければ、同じ手持姿勢のまま、転写膜２１の押圧作業を行なうことができる。
【０１１３】
また、保護キャップ１００を単独て手持操作することにより、転写膜２１の押圧作業を行なうことも可能である。
その他の構成および作用は実施形態１または２と同様である。
【０１１４】
実施形態１０
本実施形態は、実施形態１〜４および６〜９のいずれかにおける押圧部１０の押圧ローラ１５の構造が改変されたものである。
【０１１５】
すなわち、本実施形態の押圧ローラ１５は、実施形態１〜４および６〜９と同様な円筒ローラの形態であるにもかかわらず、直線状の押圧移動はもちろんのこと、実施形態５（図６）と同様な曲線状の押圧移動も可能な構造とされている。
【０１１６】
具体的には、押圧ローラ１５の構造は、適用対象となる転写テープに対応して決定されるのが望ましく、例えば次のような構造が採用される。
【０１１７】
（ａ）例えば実施形態１と同様な修正テープ用途の場合、押圧ローラ１５は、図２に仮装線で示すような二重構造とされ、ローラ本体１１５ａが弾性材料から構成されるとともに、このローラ本体１１５ａの外周面に、硬質材料からなる押圧層１１５ｂが被覆形成される。
【０１１８】
ローラ本体１１５ａを構成する弾性材料としては、好適には実施形態２におけるゴム状樹脂が使用され、また、押圧層１１５ｂを構成する硬質材料としては、好適には実施形態１におけるプラスチックや硬質ゴムなどが使用される。
【０１１９】
（ｂ）例えば実施形態２と同様な、床、壁等のキズ補修用テープ用途の場合、押圧ローラ１５は、前述したような目的・機能から、実施形態２と同様なゴム状樹脂が使用される。
【０１２０】
しかして、以上のように構成された押圧部１０の押圧ローラ１５にあっては、曲線状に転写された転写膜２１の表面に押し当てて、加圧しながら曲線状の転写膜２１に沿って回転移動させようとすると、押圧ローラ１５の支軸１６ａ、１６ｂが押圧ローラ１５自体の弾性変形により、その押圧面つまり転写膜２１の表面に対して自由に傾く結果、押圧ローラ１５は、上記転写膜２１に沿って曲線状に回転移動することができる。
【０１２１】
すなわち、本実施形態の押圧ローラ１５は、円筒ローラの形態であるにもかかわらず、使用者の力のかけ具合によって、直線状の押圧移動はもちろんのこと、曲線状の押圧移動も自由に行なうことができる。
その他の構成および作用は実施形態１〜４および６〜９のいずれかと同様である。
【０１２２】
実施形態１１
本実施形態は図１２に示されており、実施形態１または２における押圧部１０の構造が改変されたものである。
【０１２３】
すなわち、本実施形態の押圧部１０の押圧子２５は、ケース（装置本体）２の後端部に一体的かつ固定的に設けられた押圧突起の形態とされている。
【０１２４】
この押圧突起２５は、図１２（ａ）および図１２（ｂ）に示すように、被転写部２０に転写された転写膜２１（図３参照）を均一に押圧する直線状の先端エッジ２５ａを有する形状とされ、また、上記転写膜２１を小さな摩擦係数をもって押圧動作可能な構造とされている。
【０１２５】
押圧突起２５の具体的な外観形状は、その先端部が実施形態１の円筒ローラ１５と同様な円筒押圧面とされて、この円筒押圧面の母線が先端エッジ２５ａとして機能するように構成されている。
【０１２６】
また、押圧突起２５の具体的な構造は、上記転写膜２１との摩擦係数を小さくするため以下のような態様のいずれかが目的に応じて選択される。
【０１２７】
ａ）押圧突起２５がケース２の一部として一体成形されるとともに、その表面に転写膜２１との摩擦係数を低減させる摩擦係数低減層が被覆形成される。
【０１２８】
この摩擦係数低減層の構成方法としては、ｉ）押圧突起２５本体の表面に低摩擦係数材料をコーティングする方法と、ii）硬質材料からなる押圧突起２５本体部分および低摩擦係数材料からなる表面層の二重構造とする方法がある。
【０１２９】
ｉ）のコーティング方法としては、押圧突起２５本体の表面に、テフロン（登録商標）、シリコーン、ウレタン等の被膜をコーティングする。
【０１３０】
ii）の二重構造としては、押圧突起２５本体部分の表面部に、フッ素樹脂、フッ素ゴム、シリコーン樹脂またはシリコーンゴム等からなる層を積層形成したり、被覆する。
【０１３１】
（ｂ）押圧突起２５が、転写膜２１との摩擦係数の低い素材から形成される。
具体的には、ｉ）押圧突起２５の成型材料に滑り性を付与する低摩擦係数材料を添加剤として混練する方法と、ii）押圧突起２５の成型材料として滑り性を担保する低摩擦係数材料を用いる方法等がある。
【０１３２】
ｉ）の低摩擦係数材料を添加剤として混練する方法としては、成形材料にテフロンパウダー（「テフロン」は登録商標）、シリコンパウダー、モリブデン、オイル（シリコーンオイル等）等の滑り性を付与する材料を混練する方法がある。
【０１３３】
ii）押圧突起２５の成型材料として低摩擦係数材料を用いる方法としては、フッ素樹脂またはシリコーン樹脂等を用いる方法がある。
【０１３４】
しかして、以上のように構成された押圧部１０による転写膜２１の押圧作業に際しては、図３（ｂ）に示すごとくケース２を手指にて把持して、押圧部１０の押圧突起２５を被転写部２０上に転写された転写膜２１の表面に押し当てて、加圧しながら滑り移動（摺動）させることで、押圧突起２５の円筒面の先端エッジ２５ａが転写膜２１を均一に押圧して、転写膜２１の被転写部２０に対する塗着性を向上させることができる。
その他の構成および作用は実施形態１または２と同様である。
【０１３５】
実施形態１２
本実施形態は図１３に示されており、紙面等の被転写部に転写された塗膜、転写マークあるいはキズ補修塗膜などの転写膜を均一に押圧して、転写膜の転写塗着性を向上させるほか、例えば、切手を貼付した後の切手の圧着、封筒の封緘時の圧着または紙を折った際の折り目の圧着などにも使用可能な転写膜押圧装置であって、この転写膜押圧装置３１は通常の独立した文房具としても使用可能な構造とされている。
【０１３６】
転写膜押圧装置３１は、図示のような外観形状を呈し、片手による手持ち操作可能な装置本体３２と、この装置本体３２に設けられた押圧部１０とを主要部として構成されている。
【０１３７】
装置本体３２は、筆記具のように片手による手持ち操作可能なもので、実施形態細長のいわゆるペン型タイプの箱状とされている。この装置本体３２は、射出成形等により一体成形されたプラスチック製のものであって、装置本体３２の先端部に、上記押圧部１０を取外し可能に収容保持する収容開口３２ｃが形成されているとともに、装置本体３２にの後端部に、留めクリップ１９が一体的に取付け固定されている。
【０１３８】
上記装置本体３２の外周形状寸法は、上記押圧部１０により押圧動作を行うに際して、図３（ｂ）に示すように、人間工学的に装置本体３２を手持ち操作可能なように設計されている。
【０１３９】
押圧部１０は、実施形態１〜１０のような転写具１によって被転写部２０に転写された転写膜２１を均一に押圧するためのもので、上記転写膜２１を小さな摩擦係数をもって均一に押圧動作可能な押圧子１５を備える。図示の実施形態の押圧部１０は、選択的に使用可能に設けられた異なる構造を有する少なくとも２つ（図示の場合は２つ）の押圧子１５ａ、１５ｂを備えている。
【０１４０】
具体的には、押圧部１０は、本体３５の前後方向両側に上記押圧子１５ａ、１５ｂがそれぞれ設けられるとともに、上記装置本体３２の先端部に取外し可能に取付けられるユニット構造とされ、上記本体３５の外周面には、上記装置本体３２の収容開口３２ｃ内径面の雌ネジ部３６ａに螺合可能な雄ネジ部３６ｂが形成されている。これにより、押圧部１０を、その前後位置を適宜交替して装置本体３２に螺合固定することで、上記押圧子１５ａ、１５ｂを選択的に使用可能とされている。
【０１４１】
これら押圧子１５ａ、１５ｂは、具体的には、本体３５に自由回転可能に設けられた押圧ローラの形態とされており、図示の実施形態においては、円筒押圧面を有する円筒ローラの形態とされている。
【０１４２】
すなわち、押圧部１０の本体３５の前後端部には、一対の取付けフランジ２７、２７が前後方へそれぞれ平行に突出するとともに、これら取付けフランジ１７、１７に両持ち状に支持された支軸２６に、上記押圧ローラ１５ｅ、１５ｆがニードルベアリング等の軸受２８を介して自由回転可能に軸承されている。
【０１４３】
また、第１の押圧ローラ１５ｅと第２の押圧ローラ１５ｆはいずれも、実施形態１０の押圧ローラ１５と同様の構造を備え、直線状の押圧移動はもちろんのこと、曲線状の押圧移動も可能な構造とされている。
【０１４４】
具体的には、第１の押圧ローラ１５ｅは、実施形態１と同様な修正テープ用途に適した二重構造とされ、ローラ本体１１５ａが弾性材料から構成されるとともに、このローラ本体１１５ａの外周面に、硬質材料からなる押圧層１１５ｂが被覆形成されている。
【０１４５】
ローラ本体１１５ａを構成する弾性材料としては、好適には実施形態２におけるゴム状樹脂が使用され、また、押圧層１１５ｂを構成する硬質材料としては、好適には実施形態１におけるプラスチックや硬質ゴムなどが使用される。
【０１４６】
一方、第２の押圧ローラ１５ｆは、実施形態２と同様な、床、壁等のキズ補修用テープ用途に適した構造とされ、実施形態２と同様なゴム状樹脂が使用される。
【０１４７】
しかして、以上のように構成された転写膜押圧装置３１により、実施形態１〜１０のような転写具１によって被転写部２０に転写された転写膜２１を押圧処理するには、適用対象となる転写テープに対応して、第１の押圧ローラ１５ｅ（修正テープ用途）または第２の押圧ローラ１５ｆ（キズ補修用テープ用途）を選択的に使用する。
【０１４８】
そして、押圧部１０の押圧ローラ１５ａ、１５ｂによる押圧作業にあたっては、円筒ローラの形態であるにもかかわらず、使用者の力のかけ具合によって、直線状の押圧移動はもちろんのこと、曲線状の押圧移動も自由に行なうことができる。
その他の構成および作用は実施形態１〜１１のいずれかに記載のものと同様である。
【０１４９】
なお、上述した実施形態１〜１２はあくまでも本発明の好適な実施態様を示すものであって、本発明はこれに限定されることなく、その範囲内で種々の設計変更が可能である。一例として以下のような改変が可能である。
【０１５０】
（１）図示の実施形態１〜１１の転写具１はいずれも、転写テープ３を繰り出し可能に巻装した繰出リール４に加えて、転写ヘッド７により被転写部２０上に加圧転写された後の使用後の転写テープ３´を巻き取り回収する巻取リール５もケース２内に備えてなる構造を備えているが、本発明は、上記巻取リール５が省略されて、使用後の転写テープ３´がケース２内に回収されることなく切断除去される簡易な形式の構造の転写具（図示省略）にも採用可能である。
【０１５１】
（２）転写テープ３は、図示の実施形態のような修正塗膜を配置保持されてなる修正テープ３や床、壁等のキズ補修用テープのほか、粘着テープ（基材テープの表面に、粘着塗膜が剥離可能に配置保持されてなる）やマーカテープ（基材テープの表面に、マーカ塗膜が剥離可能に配置保持されてなる）、あるいはマーク転写テープ（基材テープの表面に、感圧接着性を有する転写マークが所定間隔をもって連続的にかつ剥離可能に配置保持されてなる）など、各種転写テープが適用可能である。
【０１５２】
（３）実施形態１０において、押圧部１０の押圧子２５が押圧突起の形態とされているところ、この押圧突起２５の具体的な配置構成や構造は、実施形態１０に記載のものに限定されず、その機能が損なわれずに発揮される限り、実施形態１〜実施形態９あるいは実施形態１２に記載の押圧ローラ１５（１５ａ〜１５ｆ）と同様な配置構成や構造が目的に応じて適宜採用され得る。
【０１５３】
（４）実施形態１〜１１における押圧部１０の本来的な目的・用途は、これら押圧部１０が設けられる転写具１に装填される転写テープ等の種類に対応して、紙面等の被転写部に転写された塗膜、転写マークあるいはキズ補修塗膜などの転写膜を均一に押圧して、これら転写膜の転写塗着性を向上させることであるが、実施形態１２の転写膜押圧装置３１と同様に、例えば、切手を貼付した後の切手の圧着、封筒の封緘時の圧着または紙を折った際の折り目の圧着など、同様な作用効果が期待出来る他の目的・用途にも適用可能である。
【０１５４】
つまり、実施形態１〜１１における押圧部１０は、転写具１の単なる付属装置としてだけではなく、通常の独立した文房具としても使用可能であり、特に、転写具１に装填される転写テープ等が使い切られてしまった後において有効である。
【図面の簡単な説明】
【０１５５】
【図１】本発明の実施形態１である転写具を示し、図１（ａ）は側面図、図１（ｂ）は平面図、図１（ｃ）は背面図である。
【図２】同じく同転写具を示し、図２（ａ）は内部構造を示す側面図、図１（ｂ）は同じく内部構造を示す平面図である。
【図３】同転写具の使用状態を示す斜視図で、図３（ａ）は転写動作時の使用状態を示し、図３（ｂ）は転写された転写膜の押圧動作時の使用状態を示す。
【図４】本発明の実施形態３である転写具の要部である転写膜押圧部を拡大して示し、図４（ａ）は側面図、図４（ｂ）は背面図である。
【図５】本発明の実施形態４である転写具の要部である転写膜押圧部を拡大して示し、図５（ａ）は側面図、図５（ｂ）は背面図である。
【図６】本発明の実施形態５である転写具の要部である転写膜押圧部を拡大して示し、図６（ａ）は側面図、図６（ｂ）は平面図、図６（ｂ）は背面図である。
【図７】本発明の実施形態６である転写具を示し、図７（ａ）は側面図、図７（ｂ）は平面図である。
【図８】本発明の実施形態７である転写具を示し、図８（ａ）は側面図、図８（ｂ）は平面図である。
【図９】本発明の実施形態８である転写具を示し、図９（ａ）は側面図、図９（ｂ）は平面図、図９（ｃ）は背面図である。
【図１０】同転写具の要部である転写膜押圧部を一部切開して示す拡大側面図である。
【図１１】本発明の実施形態９である転写具を示し、図１１（ａ）は側面図、図１１（ｂ）は平面図、図１１（ｃ）は正面図である。
【図１２】本発明の実施形態１１である転写具を示し、図１２（ａ）は側面図、図１２（ｂ）は平面図、図１２（ｃ）は背面図である。
【図１３】本発明の実施形態１２である転写具を示し、図１３（ａ）は側面図、図１３（ｂ）は平面図、図１３（ｃ）は正面図である。
【符号の説明】
【０１５６】
１                        転写具
２                        ケース（装置本体）
３                        転写テープ
４                        繰出リール
５                        巻取リール
６                        ゴムベルト（連動機構、クラッチ機構）
７                        転写ヘッド
７ａ                      転写ヘッドの先端加圧部
１０                      押圧部（転写膜押圧部）
１５，１５ａ〜１５ｅ      押圧ローラ（押圧子）
１９                      留めクリップ
２０                      被転写部
２１                      修正塗膜（転写膜）
２５                      押圧突起（押圧子）
２５ａ                    押圧突起の先端エッジ
３１                      転写膜押圧装置
３２                      装置本体
１００                    保護キャップ
【図１】
2006290528.tif 000003
【図２】
2006290528.tif 000004
【図３】
2006290528.tif 000005
【図４】
2006290528.tif 000006
【図５】
2006290528.tif 000007
【図６】
2006290528.tif 000008
【図７】
2006290528.tif 000009
【図８】
2006290528.tif 000010
【図９】
2006290528.tif 000011
【図１０】
2006290528.tif 000012
【図１１】
2006290528.tif 000013
【図１２】
2006290528.tif 000014
【図１３】
2006290528.tif 000015